(57)【要約】      （修正有）【課題】 床面の掃除の際にハンドルが邪魔になることがなく、高所などの掃除において、ハンドルが持ち易いアップライト式の電気掃除機を提供する。【解決手段】掃除機本体１と、ハンドル２と、掃除機本体１の下方に設けられた吸込開口３ａと吸込室３ｂを有する吸込口体３と、掃除機本体１と吸込室３ｂに連通した接続管９と、先端部５ａがこの接続管９に接続され、掃除機本体１に上下方向に着脱自在に取り付けられ且つ他端部に把手部４ｃが設けられた延長管５と、この延長管５の他端部に一端が接続され他端が掃除機本体１に取り付けられ且つ集塵室８に連通した集塵ホース４とを備え、延長管５の先端部５ａを接続し、把手部４ｃを持って移動する。ハンドル２は、延長管５の先端部５ａを接続管９から外したときに上方へ伸長し、この延長管５の先端部５ａを接続管９に接続したとき下方へ収縮する。【選択図】図１
2006141878.tif 000002
【特許請求の範囲】
【請求項１】
集塵室とこの集塵室に塵埃を吸引させるための電動送風機とを有する掃除機本体と、この掃除機本体に上下に伸縮可能に取り付けられたハンドルと、前記掃除機本体の下方に設けられ、底面に吸込開口を形成した吸込室を有する吸込口体と、前記掃除機本体に設けられるとともに前記吸込室に連通した接続管と、先端部がこの接続管に着脱自在に接続されて掃除機本体に取り付けられ且つ他端部に把手部が設けられた延長管と、この延長管の他端部に一端が接続され他端が前記掃除機本体に取り付けられるとともに前記集塵室に連通した集塵ホースとを備え、前記延長管の先端部を接続し、前記把手部を持って前記掃除機本体を移動させるアップライト式の電気掃除機であって、
前記ハンドルは、前記延長管の先端部を前記接続管から外したときに伸長し、この延長管の先端部を前記接続管に接続したとき収縮することを特徴とするアップライト式の電気掃除機。
【発明の詳細な説明】
【技術分野】
【０００１】
本発明は、いわゆるアップライト式（縦型）の電気掃除機に関するものである。
【背景技術】
【０００２】
従来のアップライト式の電気掃除機として、図５に示すようなものが知られている（例えば、特許文献１等参照）。
【０００３】
このような従来のアップライト式の電気掃除機では、掃除機本体１の上方にはハンドル２が設けられ、また、下方には吸込口体３が設けられている。
【０００４】
掃除機本体１には、集塵室（図示せず）とこの集塵室を負圧にする電動送風機（図示せず）とが設けられており、集塵室と吸込口体３とは、可撓性を有する集塵ホース４で連通されている。
【０００５】
集塵ホース４の先端部は、吸込口体３のホース接続部６に着脱自在に接続され、また、掃除機本体１の側部には、ノズル付延長管５が装着されている。
【０００６】
このように構成された従来のアップライト式の電気掃除機では、通常の床面掃除のときは、集塵ホース４の先端部はホース接続部６に接続され、吸込口体３で吸引された塵埃等のゴミは、集塵ホース４を介して集塵室に集塵されていく。
【０００７】
吸込口体３で掃除を行うことのできない隙間の狭い場所や高所の掃除を行う場合には、集塵ホース４の先端部をホース接続部６から外すとともにノズル付延長管５を掃除機本体１から外し、このノズル付延長管５を集塵ホース４の先端部に接続する。そして、このノズル付延長管５で隙間の狭い場所や高所の掃除を行う。
【特許文献１】特開２０００−３３０５４号公報（図１乃至図５、００１３段落乃至００３５段落）
【発明の開示】
【発明が解決しようとする課題】
【０００８】
このように、従来のアップライト式の電気掃除機は、集塵ホース４の先端部をホース接続部６から外し、さらにノズル付延長管５を掃除機本体１から外してこのノズル付延長管５を集塵ホース４の先端部に接続しなければならず、その作業が煩わしいという問題があった。
【０００９】
そこで、集塵ホースの先端部に延長管を接続固定しておき、この延長管を掃除機本体に着脱可能に取り付け、その延長管の把手部を操作して掃除機本体とともに吸込口体を移動させることにより床面の掃除が行え、その延長管を掃除機本体から取り外すことにより、隙間の狭い場所や高所の掃除を行えるようにした電気掃除機が提案されている。
【００１０】
しかしながら、このような電気掃除機にあっては、掃除機本体に設けたハンドルが長いと、床面の掃除の際にそのハンドルがテーブルや椅子等にぶつかり易く、邪魔になってしまうという問題がある。また、そのハンドルを短くしてしまうと、延長管を掃除機本体から外して隙間の狭い場所や高所の掃除を行う際に、ハンドルを手で持って掃除機本体を支えるが、そのハンドルが下の方に位置してしまうので、ハンドルが持ちづらいものになってしまうという問題がある。
【００１１】
この発明の目的は、床面の掃除の際にハンドルが邪魔になってしまうことがなく、また、隙間の狭い場所や高所の掃除を行う際にハンドルが持ち易いアップライト式の電気掃除機を提供することにある。
【課題を解決するための手段】
【００１２】
前記目的を達成するために、請求項１の発明は、集塵室とこの集塵室に塵埃を吸引させるための電動送風機とを有する掃除機本体と、この掃除機本体に上下に伸縮可能に取り付けられたハンドルと、前記掃除機本体の下方に設けられ、底面に吸込開口を形成した吸込室を有する吸込口体と、前記掃除機本体に設けられるとともに前記吸込室に連通した接続管と、先端部がこの接続管に着脱自在に接続されて掃除機本体に取り付けられ且つ他端部に把手部が設けられた延長管と、この延長管の他端部に一端が接続され他端が前記掃除機本体に取り付けられるとともに前記集塵室に連通した集塵ホースとを備え、前記延長管の先端部を接続し、前記把手部を持って前記掃除機本体を移動させるアップライト式の電気掃除機であって、
前記ハンドルは、前記延長管の先端部を前記接続管から外したときに伸長し、この延長管の先端部を前記接続管に接続したとき収縮するアップライト式の電気掃除機を特徴としている。
【発明の効果】
【００１３】
このように構成された請求項１のものは、延長管と集塵ホースとが接続された状態で延長管の先端部が接続管に取り付けられている。
【００１４】
これによって、部屋のコーナーや高所を掃除するとき、集塵ホースに延長管を接続する作業を省略することができ、作業の煩わしさを回避できる。
【００１５】
また、ハンドルは、延長管の先端部を接続管から外したときに上方へ伸長し、延長管の先端部を接続管に接続したとき下方へ収縮するようになっている。
【００１６】
これによって、部屋のコーナーや高所を掃除するとき、ハンドルは伸びた状態であるのでハンドルを手で持って掃除機本体を容易に支えることができ、また、床面の掃除の際には、ハンドルは縮んだ状態であるので、ハンドルがテーブルや椅子等にぶつかって邪魔になることを回避できる。
【００１７】
さらに、把手部とハンドルが干渉しないのでコンパクトにでき、把手部を握り易い。
【発明を実施するための最良の形態】
【００１８】
以下、本発明の最良の実施の形態について図面を参照して説明する。
【００１９】
なお、前記従来例と同一乃至均等な部分については、同一符号を付して説明する。
【００２０】
図１、図２および図３は、本実施の形態によるアップライト式の電気掃除機を示している。
【００２１】
まず、構成から説明すると、このような本実施の形態のアップライト式の電気掃除機では、掃除機本体１には、ハンドル２が設けられており、このハンドル２は、後述するように掃除機本体１の上下方向に伸縮するようになっている。
【００２２】
電気掃除機の使用者は、このハンドル２を手で把持することにより掃除機本体１を移動したり、掃除機本体１の転倒を防止したりすることができる。
【００２３】
また、掃除機本体１には、集塵室８、集塵室８に塵埃を吸引させる電動送風機７およびコードリール１３が設けられており、コードリール１３に巻回された絶縁コードを通じて電力を供給して電動送風機７を駆動させると、集塵室８に負圧が作用して塵埃が吸引されるようになっている。
【００２４】
なお、集塵室８には、図示しない集塵フィルタが着脱自在に装着されている。
【００２５】
掃除機本体１の下方には、吸込口体３が設けられており、この吸込口体３は、底面に吸込開口３ａを形成した吸込室３ｂを有している。
【００２６】
掃除機本体１の後側部Ａには、吸込室３ｂに連通した接続管９が設けられ、この接続管９には、後述する延長管５の先端部５ａが着脱可能に接続されるようになっている。
【００２７】
また、掃除機本体１には、後側部Ａにおいて集塵ホース４の一端４ｄが接続されており、接続風路管２０を介して集塵ホース４が集塵室８に連通している。
【００２８】
集塵ホース４の他端４ａには、把手部４ｃを有する操作管４ｂが設けられ、この操作管４ｂに延長管５の他端部５ｃが接続されている。
【００２９】
そして、延長管５は、操作管４ｂを介して集塵ホース４に連通している。
【００３０】
延長管５は、２本の中空パイプ５ｅ，５ｆが継手５ｂを介して接続されることにより伸縮自在に構成されている。
【００３１】
また、継手５ｂには、フック５ｄが形成されており、このフック５を掃除機本体１の後側部Ａに設けた図示しない係止部に係止することにより、延長管５を掃除機本体１の後側部Ａに上下に沿って取り付けることができる。
【００３２】
ハンドル２は、吸込口体３の底面に対してほぼ垂直方向に延在する収納部２ａ内に配置され、延長管５の先端部５ａを接続管９に装着した状態においては操作管４ｂよりも掃除機本体１の前側部Ｂ側に位置している。
【００３３】
掃除機本体１内には、収納部２ａに沿って上下動するロックバー１１と、このロックバー１１を上方へ付勢するバネ１２とからなるハンドル伸縮装置１０が設けられている。
【００３４】
ロックバー１１は、ハンドル２の下端を支持する水平部１１ａと、接続管９側に突出する突起部１１ｂと、水平部１１ａと突起部１１ｂとを連結する垂直部１１ｃとを有している。
【００３５】
延長管５の先端部５ａが接続管９に接続されているときは、図１に示すように、突起部１１ｂが延長管５の先端部５ａによって押さえ付けられてロックバー１１がバネ１２の付勢力に抗して押し下げられるためハンドル２は縮んだ状態となる。
【００３６】
この状態のとき、ハンドル２は把手部４ｃより下方に位置するようになっている。
【００３７】
一方、延長管５の先端部５ａが接続管９から取り外されたときは、図２に示すように、突起部１１ｂの押さえ付けが解放されるため、バネ１２の付勢力によってロックバー１１が押し上げられ、ハンドル２は、伸びた状態となる。
【００３８】
次に、このように構成された本実施の形態のアップライト式の電気掃除機の作用について説明する。
【００３９】
まず、床面掃除のときは、図１に示すように、延長管５の先端部５ａを接続管９に接続し、延長管５を掃除機本体１の後側部Ａに取り付けて、操作管４ｂの把手部４ｃを持ち、電動送風機７を駆動させて掃除機本体１を吸込口体３とともに移動させる。
【００４０】
電動送風機７の駆動により、吸込口体３の吸込開口３ａから空気と共に吸引されたゴミは、吸込室３ｂ、接続管９、延長管５、集塵ホース４、接続風路２０を経て集塵室８の集塵フィルタに集塵されていく。
【００４１】
この場合、延長管５の先端部５ａは接続管９に接続されているので、ロックバー１１の突起部１１ｂは接続管９内において延長管５の先端部５ａにより押さえ付けられて、ロックバー１１はバネ１２の付勢に抗して押し下げられており、ハンドル２は掃除機本体１の収納部２ａに納められて縮んだ状態となっている。
【００４２】
このため、ハンドル２は操作管４ｂの把手部４ｃよりも下方に位置しており、ハンドル２がテーブルや椅子にぶつかることなく掃除を行うことができる。
【００４３】
次に、部屋のコーナーや高所を掃除するときは、図２に示すように、延長管５の先端部５ａを接続管９から取り外し、必要に応じて先端部５ａにノズル（図示せず）等を取り付け、把手部４ｃを持って延長管５を操作する。
【００４４】
この場合、延長管５の先端部５ａは接続管９から取り外されているので、ロックバー１１の突起部１１ｂは、延長管５の先端部５ａによる押さえ付けから解放されている。
【００４５】
このため、バネ１２の付勢力によってロックバー１１と共にハンドル２が押し上げられ、ハンドル２は掃除機本体１の収納部２ａから上方に伸びた状態となる。
【００４６】
したがって、部屋のコーナーや高所を掃除するときは、図４に示すように、片方の手で把手部４ｃを把持する一方、掃除機本体１を支えるために他の片方の手で伸びハンドル２を把持すればよいので、ハンドル２の把持はし易いものとなる。
【００４７】
以上説明してきたように、本実施の形態によれば、延長管５と集塵ホース４とが接続された状態で延長管５の先端部５ａが接続管９に取り付けられている。
【００４８】
これによって、部屋のコーナーや高所を掃除するとき、集塵ホース４に延長管５を接続する作業を省略することができ、作業の煩わしさを回避できる。
【００４９】
また、ハンドル２は、延長管５の先端部５ａを接続管９から外したときに上方へ伸長し、延長管５の先端部５ａを接続管９に接続したとき下方へ収縮するようになっている。
【００５０】
これによって、部屋のコーナーや高所を掃除するとき、ハンドル２は伸びた状態であるのでハンドル２を手で持って掃除機本体１を容易に支えることができ、また、床面の掃除の際には、ハンドル２は縮んだ状態であるので、ハンドル２がテーブルや椅子等にぶつかって邪魔になることを回避できる。
【００５１】
さらに、本実施の形態によれば、ハンドル２の伸縮は、延長管先端部５ａの接続管９への着脱に連動して行われるので、吸込口体３を使用した床面の掃除と、延長管５を使用した部屋のコーナーや高所の掃除との切替を迅速に行うことができる。
【００５２】
以上、図面を参照して、本発明の最良の実施の形態を詳述してきたが、具体的な構成は、この実施の形態に限らず、本発明の要旨を逸脱しない程度の設計的変更は、本発明に含まれる。
【００５３】
例えば、前記実施の形態では、ハンドル２の伸縮を行うハンドル伸縮装置１０は、ロックバー１１およびバネ１２からなる例について説明したが、接続管９内に延長管５の先端部５ａの着脱によりオン、オフする電気スイッチを設け、このオン、オフにより動作するエアシリンダーでハンドルを伸縮させても良い。
【図面の簡単な説明】
【００５４】
【図１】本発明の最良の実施の形態のアップライト式の電気掃除機の延長管を接続管に装着した状態の全体の構成を説明する側面図である。
【図２】本発明の最良の実施の形態のアップライト式の電気掃除機の延長管を接続管から取り外した状態の全体の構成を説明する側面図である。
【図３】本発明の最良の実施の形態のアップライト式の電気掃除機の集塵ホースおよび延長管を除いた外観図である。
【図４】本発明の最良の実施の形態のアップライト式の電気掃除機を延長管を取り外して使用する状態を説明する側面図である。
【図５】従来のアップライト式の電気掃除機の全体の構成を説明する側面図である。
【符号の説明】
【００５５】
１  掃除機本体
２  ハンドル
３  吸込口体
３ａ  吸込開口
３ｂ  吸込室
４  集塵ホース
４ｃ  把手部
５  延長管
５ａ  先端部
８  集塵室
９  接続管
１０  ハンドル伸縮装置
【図１】
2006141878.tif 000003
【図２】
2006141878.tif 000004
【図３】
2006141878.tif 000005
【図４】
2006141878.tif 000006
【図５】
2006141878.tif 000007